(57)【要約】【課題】本発明は立体視を特殊再生で視聴する場合に、３Ｄ／２Ｄを切り替え視聴者に対し違和感疲労感を低減する立体映像視聴眼鏡を提供する。【解決手段】左目用映像と右目用映像を交互に表示する表示装置１０２から、その左目用映像と右目用映像の切り替わりタイミングに関する制御信号（左右識別信号）を受信可能な立体映像視聴眼鏡１０３であって、その制御信号はさらに表示装置１０２に表示されている映像の再生動作に関する情報（特殊再生の識別信号）を含み、その記制御信号を受信する受信部４０１とその制御信号に基づいて開閉する第１の液晶シャッター４０３とその制御信号に基づいて開閉する第２の液晶シャッター４０４を備え受信部４０１が受信した再生動作に関する情報（特殊再生の識別信号）が特殊再生である事を示す場合には、第１の液晶シャッター４０３と第２の液晶シャッター４０４の開閉制御を変更する。【選択図】図４
2011158695.tif 000002
【特許請求の範囲】
【請求項１】
左目用映像と右目用映像を交互に表示する立体映像表示装置から、その左目用映像と右目用映像の切り替わりタイミングに関する制御信号を受信可能な立体映像視聴眼鏡であって、
前記制御信号はさらに前記立体映像表示装置に表示されている映像の再生動作に関する情報を含み、
前記制御信号を受信する受信部と
前記制御信号に基づいて開閉する第１の光学フィルタと前記制御信号に基づいて開閉する第２の光学フィルタと、
を備え
前記受信部が受信した再生動作に関する情報が特殊再生である事を示す場合には、前記第１の光学フィルタと前記第２の光学フィルタの開閉制御を変更する立体映像視聴眼鏡。
【請求項２】
前記受信部が受信した再生動作に関する情報が特殊再生である事を示す場合には、前記第１の光学フィルタと前記第２の光学フィルタの開閉のタイミングが一致する請求項１記載の立体映像視聴眼鏡。
【請求項３】
前記制御信号が含む映像の再生動作に関する情報が、所定の速度より遅い早送り再生である場合には、前記第１の光学フィルタと前記第２の光学フィルタを交互に開閉する請求項２に記載の立体映像視聴眼鏡。
【請求項４】
左目に入射される光を周期的に遮断する第１の光学フィルタと、
右目に入射される光を周期的に遮断する第２の光学フィルタと、
立体映像表示装置から制御信号を受信する受信部と、
前記第１の光学フィルタでの遮断動作と前記第２の光学フィルタでの遮断動作との位相関係が異なる複数の制御モードを有し、それらの制御モードの中からいずれかを前記受信部で受信した制御信号に基づいて選択し、前記選択したモードで前記第１の光学フィルタおよび前記第２の光学フィルタを制御する制御部と、
を備える立体映像視聴眼鏡。
【請求項５】
左目に入射される光を周期的に遮断する第１の光学フィルタと、
右目に入射される光を周期的に遮断する第２の光学フィルタと、
立体映像表示装置から制御信号を受信する受信部と、
前記第１の光学フィルタでの遮断と前記第２の光学フィルタでの遮断を交互に行うよう制御する第１モード、又は、前記第１の光学フィルタでの遮断と前記第２の光学フィルタでの遮断を略同時に行うよう制御する第２モードを、前記受信部で受信した制御信号に基づいて選択し、前記選択したモードで前記第１の光学フィルタおよび第２の光学フィルタを制御する制御部と、
を備える立体映像視聴眼鏡。
【発明の詳細な説明】
【技術分野】
【０００１】
本発明は立体映像を視聴する眼鏡に関する。
【背景技術】
【０００２】
従来、３次元立体映像を再生する装置としては、人間の左右の目にそれぞれ別々の左右の目用の映像を見せるために、いくつかの方式が立案、実現され、知られている。たとえば人間の左目用、右目用の別々の映像をディスクから読み出し、それぞれ左目用、右目用の映像を交互に表示装置に出画する。また表示装置は左目用右目用映像を識別する制御信号を光学フィルタ付き眼鏡に送信する。光学フィルタつきメガネは制御信号を利用し左目右目用シャッターを交互に切り替える。上記の構成により、光学フィルタ付きメガネをかけた視聴者の左目には左目用の映像を、右目には右目用の映像のみが届くことになり、視聴者は３次元立体映像を見ることができる。
【先行技術文献】
【特許文献】
【０００３】
【特許文献１】特開平１１−９８５３８号公報
【発明の概要】
【発明が解決しようとする課題】
【０００４】
しかしながら、特殊再生（早送り、巻き戻し）時にユーザーへの負担軽減を目的として、３次元映像を２次元映像に切り換える場合には、再生装置または表示装置の処理を変更する必要があった。例えば、特殊再生時には左右の映像どちらかを再生装置から出力するまたは表示装置で左右どちらかの映像を表示する。
【０００５】
そこで本発明の目的は、上記の問題を解決可能な立体映像視聴眼鏡を提供することを目的としている。
【課題を解決するための手段】
【０００６】
上記目的を達成するために、立体映像視聴眼鏡は、左目用映像と右目用映像を交互に表示する表示装置から、その左目用映像と右目用映像の切り替わりタイミングに関する制御信号（左右識別信号）を受信可能な立体映像視聴眼鏡であって、その制御信号はさらに表示装置に表示されている映像の再生動作に関する情報（特殊再生の識別信号）を含み、その記制御信号を受信する受信部とその制御信号に基づいて開閉する第１の液晶シャッターとその制御信号に基づいて開閉する第２の液晶シャッターを備え受信部が受信した再生動作に関する情報（特殊再生の識別信号）が特殊再生である事を示す場合には、第１の液晶シャッターと第２の液晶シャッターの開閉制御を変更する。
【０００７】
これにより特殊再生時に再生装置や表示装置の処理を変更させることなく光学フィルタの制御を変更し、３Ｄ／２Ｄを切り替えることができる。
【発明の効果】
【０００８】
上記の構成の立体映像視聴眼鏡によると、再生装置１０１や表示装置１０２の処理変更にともなう負荷を軽減できる。
【図面の簡単な説明】
【０００９】
【図１】実施の形態１にかかる３次元立体映像再生表示システム構成図
【図２】実施の形態１にかかる３次元立体映像再生装置の構成図
【図３】実施の形態１にかかる３次元立体表示装置の構成図
【図４】実施の形態１にかかる立体映像視聴眼鏡の構成図
【図５】実施の形態１にかかる通常再生と特殊再生の遷移図
【発明を実施するための形態】
【００１０】
（実施の形態１）
［１．  ３次元立体映像再生表示システム構成］
図１に３次元立体映像再生表示システムを示す。再生装置１０１は３次元立体映像をディスクから再生し、表示装置１０２に出力する。表示装置１０２は３次元立体映像を表示し、左目用の映像と右目用の映像を交互に表示する。表示装置１０２は、例えば赤外線などの無線で映像同期信号を立体映像視聴眼鏡１０３に送り、立体映像視聴眼鏡１０３は例えば液晶シャッターを左目用と右目用のレンズ部に持ち、これら液晶シャッターを左右交互に閉じたり開いたりする。表示装置１０２が左目映像を表示した時には視聴者の左目側の液晶シャッターが開き、表示装置１０２が右目映像を表示した時には視聴者の右目側の液晶シャッターが開くように映像同期信号を用いて動作する。以上の動作により、視聴者は左右の目で別々の映像を見ることができ、それぞれに視差がついているため、これを３Ｄ映像として認識することができ、３次元立体映像として視聴することができる。
【００１１】
［２．  ３次元立体映像再生装置］
図２に再生装置１０１を示す。再生装置１０１は、ディスク駆動部２０２、第１の信号処理部２０３、メモリ２０４、リモコン信号受信部２０５および出力部２０６により構成される。リモコン信号受信部２０５は、視聴者からの通常再生の開始、特殊再生の開始、通常再生及び特殊再生の停止といった指示を示すリモコン信号を受け付ける。ここで、特殊再生とは、早送り再生、巻戻し再生などが該当する。ディスク２０１には、２Ｄ映像データや３Ｄ映像データ、音声データ、グラフィックデータ等が記録されている。
【００１２】
ディスク駆動部２０２は、リモコン信号受信部２０５が通常再生を開始する旨のリモコン信号を受け付けた場合には、ディスク２０１の通常再生を開始する。また、ディスク駆動部２０２は、リモコン信号受信部２０５がディスク２０１を早送りする旨のリモコン信号を受け付けた場合には、ディスク２０１の早送りでの再生を開始する。また、ディスク駆動部２０２は、リモコン信号受信部２０５がディスク２０１を巻戻しする旨のリモコン信号を受け付けた場合には、ディスク２０１の巻戻しでの再生を開始する。また、ディスク駆動部２０２は、通常再生中、早送り再生中もしくは巻戻し再生中において、リモコン信号受信部２０５が停止する旨のリモコン信号を受け付けた場合には、ディスク２０１の再生を停止する。
【００１３】
第１の信号処理部２０３は、ディスク駆動部２０２で再生した映像データ、音声データ、グラフィックスデータをデコードして、映像信号、音声信号、グラフィックス信号を生成する。第１の信号処理部２０３は、生成された映像信号、音声信号、グラフィックス信号はメモリ２０４に一時的に蓄積させる。出力部２０６は、メモリ２０４に蓄積された映像信号、音声信号、グラフィックス信号を再生装置１０１に接続された表示装置１０２に出力する。出力部２０６は、出力する映像信号、音声信号、グラフィックス信号が２Ｄの信号である場合には、２Ｄのフォーマットで出力する。一方、出力部２０６はその出力する映像信号、音声信号、グラフィックス信号が３Ｄのデータである場合には、３Ｄのフォーマットで出力する。
【００１４】
また、出力部２０６は、ディスク駆動部２０２において実行されている再生が、通常再生であるか、特殊再生であるかに関する情報（以下、特殊再生の識別信号）を再生装置１０１へ出力する。これにより、表示装置１０２は再生装置１０１で動作している再生が通常再生であるか、特殊再生であるかを認識できる。なお。出力部２０６は、例えば、ＨＤＭＩ出力端子である。
［３．  ３次元立体映像表示装置］
図３に表示装置１０２示す。表示装置１０２は、入力部３０１、第２の信号処理部３０２、表示部３０３、送信部３０４により構成される。入力部３０１は、出力部２０６からの出力が入力される。具体的には、映像信号、音声信号、グラフィックス信号や特殊再生の識別信号が入力される。また、出力部２０６の出力フォーマットが２Ｄのフォーマットであるか、３Ｄのフォーマットであるかを確認することにより、その再生中のデータが２Ｄであるか３Ｄであるかを判定できる。なお、入力部３０１は例えば、ＨＤＭＩ入力端子である。
【００１５】
第２の信号処理部３０２は入力部３０１から入力された信号を処理して、表示部３０３に出力する。より具体的には、第２の信号処理部３０２は、再生中のデータが２Ｄである場合には、２Ｄ方式の映像信号を表示部３０３に出力する。一方、再生中のデータが３Ｄである場合には、３Ｄ方式の映像信号を表示部３０３に出力するとともに、送信部３０４に、左右識別信号と特殊再生の識別信号を出力する。送信部３０４は受信した左右識別信号と特殊再生の識別信号とを、無線信号に変換して出力する。ここで、左右識別信号とは、立体映像視聴眼鏡１０３の液晶シャッターのタイミングを制御する為の信号である。
【００１６】
表示部３０３は、３Ｄ方式の映像信号が入力された場合には、左目用映像と右目用映像を交互に表示する。
［４．立体映像視聴眼鏡］
図４に立体映像視聴眼鏡１０３を示す。立体映像視聴眼鏡１０３は、受信部４０１、液晶シャッター制御部４０２、第１の液晶シャッター４０３、第２の液晶シャッター４０４により構成される。受信部４０１は、送信部３０４からの左右識別信号と特殊再生の識別信号を受信する。液晶シャッター制御部４０２は受信部４０１が受信した左右識別信号と特殊再生の識別信号をもとに第１の液晶シャッター４０３と第２の液晶シャッター４０４の開閉を制御する。
【００１７】
図５に特殊再生時の状態遷移を示す。図５において、横軸は時間軸である。図５の『リモコン信号』はリモコン信号受信部２０５がリモコン信号を受信したタイミングを示す。図５の『特殊再生信号受付』は、早送りもしくは巻戻しなどの特殊再生の開始の指示を受け付けたタイミングを示す。図５の『特殊再生解除』は、早送りもしくは巻戻しなどの特殊再生の停止を受け付けたタイミングを示す。図５の『フレーム』は表示装置１０２に表示される映像信号のフレームの切り換えのタイミングを示す。図５の『左右識別信号』は、左右識別信号の切り替わりのタイミングを示している。この左右識別信号に基づき、立体映像視聴眼鏡１０３の液晶シャッターは開閉する。つまり、通常再生時において、左右識別信号が１の場合は、右側の液晶シャッターを開き、左側の液晶シャッターを閉じる。一方、通常再生時において、左右識別信号が０の場合は、右側の液晶シャッターを閉じ、左側の液晶シャッターを開く。
【００１８】
図５の『特殊再生の識別信号』は、特殊再生の識別信号の切り替わりのタイミングを示している。つまり、リモコン信号受信部２０５が早送りもしくは巻戻しなどの特殊再生の開始を受け付けたタイミングで０から１に切り替わる一方、早送りもしくは巻戻しなどの特殊再生の停止を受け付けたタイミングで１から０に切り替わる。図５の『第１の液晶シャッター』は、第１の液晶シャッター４０３の開閉のタイミング示す。本実施の形態では、通常再生時において、左右識別信号が１のときに第１の液晶シャッター４０３が開いているので、第１の液晶シャッター４０３は右目用のシャッターである。図５の『第２の液晶シャッター』は、第２の液晶シャッター４０４の開閉のタイミング示す。本実施の形態では、通常再生時において、左右識別信号が０のときに第１の液晶シャッター４０３が開いているので、第１の液晶シャッター４０３は左目用のシャッターである。
【００１９】
まず、通常再生時の第１の液晶シャッター４０３と第２の液晶シャッター４０４の動作について説明する。通常再生時はフレーム信号に同期した左右識別信号に対応して液晶シャッター制御部４０２は第１の液晶シャッター４０３と第２の液晶シャッター４０４を制御する。制御方法としては第１の液晶シャッター４０３と第２の液晶シャッター４０４の液晶シャッターの開閉は交互となっている。つまり、左右識別信号が１の場合には、第１の液晶シャッター４０３が開く一方第２の液晶シャッター４０４が閉まる。また、左右識別信号が０の場合には、第２の液晶シャッター４０４が開く一方第１の液晶シャッター４０３が閉まる。これにより、ユーザーが立体映像視聴眼鏡１０３を装着して表示装置１０２を視聴した場合には、その映像を３Ｄとして視聴できる。
【００２０】
次に、特殊再生時の第１の液晶シャッター４０３と第２の液晶シャッター４０４の動作について説明する。リモコン信号受信部２０５にユーザーから特殊再生の指示を受けると第１の信号処理部２０３はディスク２０１から所定の間隔でデータを読み出す。読み出されたデータは出力部２０６から表示装置１０２に出力される。出力されたデータは入力部３０１に入力され第２の信号処理部３０２で映像信号と左右識別信号／特殊再生の識別信号に分離される。分離された映像信号は表示部表示部３０３に入力され、左目用の映像と右目用の映像を交互に表示される。
【００２１】
分離された左右識別信号／特殊再生の識別信号は送信部送信部３０４に入力され、立体映像視聴眼鏡１０３の受信部４０１に対し、出力される。受信部４０１から出力された左右識別信号／特殊再生の識別信号は液晶シャッター制御部４０２に入力される。
【００２２】
液晶シャッター制御部４０２では左右識別信号／特殊再生信号から第１の液晶シャッター４０３と第２の液晶シャッター４０４の開閉制御を実施する。図５の場合、特殊再生の識別信号が１となる。液晶シャッター制御部４０２ではこれを認識し、右画面（Ｒ）のみ透過するように液晶シャッター制御部４０２を制御し第１の液晶シャッター４０３、第２の液晶シャッター４０４の同時開閉制御を行う。つまり、
左右識別信号が１の場合には、第１の液晶シャッター４０３と第２の液晶シャッター４０４との両方が開く。一方、左右識別信号が０の場合には、第１の液晶シャッター４０３と第２の液晶シャッター４０４との両方が閉じる。これにより、これにより、ユーザーが立体映像視聴眼鏡１０３を装着して表示装置１０２を視聴した場合には、右画面（Ｒ）のみを視聴することになるので、映像を２Ｄとして視聴することとなる。これにより、早送りや巻戻しなど、３Ｄで視聴した場合に目に負担がかかることを防止できる。
【００２３】
同様にリモコン信号受信部２０５にユーザーから特殊再生解除の指示を受けると第１の信号処理部２０３はディスク２０１から通常の間隔でデータを読み出す。ユーザーから特殊再生解除の指示があると、図５の場合特再識別信号が０となる。液晶シャッター制御部４０２ではこれを認識し、第１の液晶シャッター４０３、第２の液晶シャッター４０４を交互に開閉制御を行う。
【００２４】
以上、本実施の形態の立体映像視聴眼鏡１０３は、左目用映像と右目用映像を交互に表示する表示装置１０２から、その左目用映像と右目用映像の切り替わりタイミングに関する制御信号（左右識別信号）を受信可能な立体映像視聴眼鏡１０３であって、その制御信号はさらに表示装置１０２に表示されている映像の再生動作に関する情報（特殊再生の識別信号）を含み、その記制御信号を受信する受信部４０１とその制御信号に基づいて開閉する第１の液晶シャッター４０３とその制御信号に基づいて開閉する第２の液晶シャッター４０４を備え受信部４０１が受信した再生動作に関する情報（特殊再生の識別信号）が特殊再生である事を示す場合には、第１の液晶シャッター４０３と第２の液晶シャッター４０４の開閉制御を変更する。
【００２５】
また、本実施の形態の立体映像視聴眼鏡１０３は、受信部４０１が受信した再生動作に関する情報が特殊再生（特殊再生の識別信号）である事を示す場合には、第１の液晶シャッター４０３と第２の液晶シャッター４０４の開閉のタイミングが一致する。
【００２６】
これにより、特殊再生時に再生装置１０１や表示装置１０２の処理を変更させることなく光学フィルタの制御を変更し、３Ｄ／２Ｄを切り替えることができる。
【００２７】
なお、本実施の形態の立体映像視聴眼鏡１０３では、特殊再生の場合は第１の液晶シャッター４０３と第２の液晶シャッター４０４とを同時に開くとした。しかし、通常再生の１．６倍速再生であったりもしくは１．６倍よりも遅い再生速度であった場合は、特殊再生であるにもかかわらず通常再生とみなし、通常再生と同様の制御をしてもよい。その理由は、以下の通りである。早送りや巻戻しなどの特殊再生の場合は、ユーザーは視聴を目的としておらず、タイムシフトを目的としている場合が多い。その為、ユーザーはどのシーンを再生しているかを認識できれば充分であるので、２Ｄで表示すれば十分である。一方、１．６倍速などの通常の早送り再生と比較して遅い再生速度の場合には、ユーザーが高速に視聴を完了するために、その速度で再生していることが多い。この場合は、視聴を目的としているので、ユーザーにとっては３Ｄで表示された方が良い。そこで、例えば、１．６倍速の以下の早送り再生については通常再生と同様の制御をし、１．６倍速を超える早送り再生については特殊再生の動作をしてもよい。
【００２８】
具体的な実現手段としては、１．６倍速の以下の早送り再生のときに、特殊再生の識別信号が０であっても良いし、別途、１．６倍速の以下の早送り再生であることを示す制御信号を送信してもよい。
【００２９】
つまり、本実施の形態の立体映像視聴眼鏡１０３は、その制御信号が含む映像の再生動作に関する情報が、所定の速度より遅い早送り再生である場合には、第１の液晶シャッター４０３と第２の液晶シャッター４０４を交互に開閉する。
【００３０】
また、本実施の形態では、ディスク２０１にデータが記憶されているとしたが、本発明では記憶媒体はこれに限られるものではない。即ち、ハードディスクやメモリーカードなどの記録媒体でもよい。
【００３１】
また、本実施の形態では、立体映像視聴眼鏡１０３に第１の液晶シャッター４０３と第２の液晶シャッター４０４を備えるとした。しかし、本発明は光学フィルタとしては必ずしも液晶シャッターである必要は無い。即ち、偏向光学レンズなど、透過状態と遮断状態を切り換えることができる光学フィルタであれば、本発明の範囲に含まれる。
【産業上の利用可能性】
【００３２】
本発明は立体映像視聴眼鏡に関するもので特に特殊再生時（早送り／巻き戻し）時に眼鏡の液晶シャッター制御を通常再生時と変えることにより３Ｄ／２Ｄを切り替えを実現し特殊再生時の視聴者の疲れや違和感を軽減できる。
【００３３】
このため、本発明は、３Ｄブルーレイディスクプレーヤー、３Ｄブルーレイディスクレコーダー、３Ｄ  ＤＶＤプレーヤー、３Ｄ  ＤＶＤレコーダー、３Ｄ放送受信装置、３Ｄテレビ、３Ｄ画像表示端末、３Ｄ携帯電話端末、３Ｄカーナビゲーションシステム、３Ｄデジタルスチルカメラ、３Ｄデジタルムービー、３Ｄネットワークプレーヤ、３Ｄ対応コンピューター、３Ｄ対応ゲームプレーヤー等の、３次元立体映像対応機器に適用できる。
【符号の説明】
【００３４】
１０１    再生装置
１０２    表示装置
１０３    立体映像視聴眼鏡
２０１    ディスク
２０２    ディスク駆動部
２０３    第１の信号処理部
２０４    メモリ
２０５    リモコン信号受信部
２０６    出力部
３０１    入力部
３０２    第２の信号処理部
３０３    表示部
３０４    送信部
４０１    受信部
４０２    液晶シャッター制御部
４０３    第１の液晶シャッター
４０４    第２の液晶シャッター
【図１】
2011158695.tif 000003
【図２】
2011158695.tif 000004
【図３】
2011158695.tif 000005
【図４】
2011158695.tif 000006
【図５】
2011158695.tif 000007